(57)【要約】【課題】子局を複雑化することなく子局の異常を親局側に通知する警報を送信可能な中継伝送用の光伝送システム、子局装置および警報発生方法を提供する。【解決手段】子局３のモニタ制御部３２は、ＲＦ部３１の動作を監視し、異常を検知した場合、異常警報の代わりとしてスイッチ３３によりＲＦ部３１の電源を断とする。そして、子局３への供給電流を監視している中継装置２のカレントモニタ２８は、供給電流が規定値より減少した場合、警報を監視制御部２６へ出力すると、監視制御部２６は、当該子局３が異常と判定して送信処理部２５を介して親局へ向けて警報を送信する。【選択図】図２
2008294848.tif 000002
【特許請求の範囲】
【請求項１】
子局装置のアンテナを介して基地局が移動通信端末との間で送受信する無線信号を親局が前記子局に向けた光信号に変換して中継する光伝送システムにおいて、
前記無線信号を中継装置との間で入出力して前記送受信するＲＦ処理手段と、前記ＲＦ処理手段の動作を監視して異常を検知した場合、前記中継装置から給電される前記ＲＦ処理手段への電力供給をオフとするモニタ・制御手段とを備える少なくとも１台の子局と、
前記子局毎に給電する給電手段と、前記給電する電流をモニタして所定の給電電流よりも減少した場合、その子局が異常であると判断をして前記親局への警報を生成する監視制御手段と、前記親局との間で前記無線信号および前記警報とが重畳された光信号に変換して送信する通信手段とを備える中継装置
とを具備することを特徴とする光伝送システム。
【請求項２】
前記子局の前記モニタ・制御手段は、前記異常が検出された場合、各子局に固有のオン時間とオフ時間とを組み合わせたパターンで前記オフをして、
前記監視制御手段は、前記固有のパターンを記憶して前記異常が検出された場合、その記憶パターンと前記モニタした結果を照合比較することによりその異常が検出された子局を判別することを特徴とする請求項１記載の光伝送システム。
【請求項３】
前記給電手段は、複数の子局に給電する共通給電手段であることを特徴とする請求項２記載の光伝送システム。
【請求項４】
子局装置のアンテナを介して基地局が移動通信端末との間で送受信する無線信号を親局が前記子局に向けた光信号に変換して中継し、中継装置が前記親局との間で前記光信号を前記子局と入出力する電気信号に再変換すると共に前記子局に電力を供給する光伝送システムの子局装置において、
前記無線信号を前記中継装置との間で入出力し、前記送受信するＲＦ処理手段と、
前記ＲＦ処理手段の動作を監視してその異常を検知した場合、前記中継装置から給電される電力を前記ＲＦ処理手段に供給せずにオフとして自装置の電力消費を減少させるモニタ・制御手段とを
具備することを特徴とする子局装置。
【請求項５】
前記子局の前記モニタ・制御手段は、前記異常が検出された場合、各子局に固有のオン時間とオフ時間とを組み合わせたパターンで前記給電をすることを特徴とする
請求項４記載の子局装置。
【請求項６】
親局と、子局と、中継装置とを備え、子局装置のアンテナを介して基地局が移動通信端末との間で送受信する無線信号を、親局が前記子局に向けた光信号に変換して中継する光伝送システムの警報発生方法において、
前記子局は、前記無線信号を前記中継装置との間で入出力するとともに、前記無線信号を前記移動通信端末との間で送受信する前記ＲＦ処理手段の動作を監視して異常を検知した場合、前記中継装置から給電される前記ＲＦ処理手段への電力供給をオフにし、
前記中継装置は、
前記子局に前記給電する電流をモニタして所定の給電電流よりも減少した場合、その子局が異常であると判断をして前記親局への警報を生成し、前記親局との間で前記無線信号および前記警報とが重畳された光信号に変換して送受信することを特徴とする
光伝送システムの警報発生方法。
【請求項７】
前記中継装置は、複数の子局に共通に給電し
前記子局は、前記異常が検出された場合、各子局に固有のオン時間とオフ時間とを組み合わせたパターンで前記給電される電力をオフして、
前記中継装置は、前記固有のパターンを予め記憶し、前記モニタにより給電する電流に異常が検出された場合、その記憶パターンと前記モニタした結果を照合比較することによりその異常が検出された子局を判別することと特徴とする請求項６記載の光伝送システムの警報発生方法。
【発明の詳細な説明】
【技術分野】
【０００１】
本発明は、無線信号を光ファイバ伝送により中継する光伝送システム、子局装置および警報発生方法に関する。
【背景技術】
【０００２】
携帯電話システムでは、トンネルや、地下街、またビル内等では、携帯電話基地局からの電波が到達しない不感エリアとなりそのエリア内では携帯電話端末が通信出来なくなる。この様な不感エリアの解消策として不感エリアに子局を設置し、携帯電話基地局が携帯電話端末と無線通信する電波の無線信号を光信号に変換し、携帯電話基地局側に設置される親局と子局との間で中継伝送し、子局から電波に再変換して通信するＲＯＦ（Ｒａｄｉｏ  Ｏｖｅｒ  Ｆｉｂｅｒ）システムがある。
【０００３】
ＲＯＦシステムは、高層ビルでは各フロア、また各ゾーン毎に不感エリア対策として子局が設けられるので台数が多くなり電力消費が大きくなる。各子局の動作状況は、各子局の内部監視回路（ＢＩＴＥ機能：Built  In  Test）により監視され、異常が生じた場合アラーム信号が、無線信号を変換した光信号と重畳されて親局へ送信されるか（例えば、特許文献１。）、又は別に敷設されたＯＷ（オーダワイヤ）等により送信される。
【０００４】
従来の警報伝送方法は、警報伝送用の、例えば、子局では低周波のパイロット信号発生器や、警報信号を送受するための多重化回路、インタフェース等が必要であり子局が複雑化、大型化するのみならず電力消費が増す問題が有った。
【特許文献１】特開２００６−２４５８８４号公報  （第９頁、第１図）
【発明の開示】
【発明が解決しようとする課題】
【０００５】
従来の警報伝送方法は、警報伝送用の、例えば、子局では低周波のパイロット信号発生器や、警報信号を送受するための多重化回路、インタフェース等が必要であり子局が複雑化、大型化するのみならず電力消費が増す問題が有った。
【０００６】
本発明は、上記問題を解決するためになされたもので、子局を複雑化することなく子局の異常を親局に通知する警報を送信可能な光伝送システム、子局装置および警報発生方法を提供することを目的とする。
【課題を解決するための手段】
【０００７】
上記目的を達成するために、本発明の光伝送システムは、子局装置のアンテナを介して基地局が移動通信端末との間で送受信する無線信号を、親局が前記子局に向けた光信号に変換して中継する光伝送システムにおいて、前記無線信号を中継装置との間で入出力して前記送受信するＲＦ処理手段と、前記ＲＦ処理手段の動作を監視して異常を検知した場合、前記中継装置から給電される前記ＲＦ処理手段への電力供給をオフとするモニタ・制御手段とを備える少なくとも１台の子局と、前記子局毎に給電する給電手段と、前記給電する電流をモニタして所定の給電条件よりも減少した場合、その子局が異常であると判断をして前記親局への警報を生成する監視制御手段と、前記親局との間で前記無線信号および前記警報とが重畳された光信号に変換して送信する通信手段とを備える中継装置とを具備することを特徴とする。
【０００８】
また本発明の光伝送システムの子局装置は、子局装置のアンテナを介して基地局が移動通信端末との間で送受信する無線信号を親局が前記子局に向けた光信号に変換して中継し、中継装置が前記親局との間で前記光信号を前記子局と入出力する電気信号に再変換すると共に前記子局に電力を供給する光伝送システムの子局装置において、前記無線信号を前記中継装置との間で入出力し、前記送受信するＲＦ処理手段と、前記ＲＦ処理手段の動作を監視してその異常を検知した場合、前記中継装置から給電される電力を前記ＲＦ処理手段に供給せずにオフとして自装置の電力消費を減少させるモニタ・制御手段とを具備することを特徴とする光伝送システムの子局装置。
【０００９】
さらに本発明の光伝送システムの警報発生方法は、親局と、子局と、中継装置とを備え、前記子局のアンテナを介して基地局が移動通信端末との間で送受信する無線信号を、親局が前記子局に向けた光信号に変換して中継する光伝送システムの警報発生方法において、前記子局は、前記無線信号を前記中継装置との間で入出力するとともに、前記無線信号を前記移動通信端末との間で送受信する前記ＲＦ処理手段の動作を監視して異常を検知した場合、前記中継装置から給電される前記ＲＦ処理手段への電力供給をオフにし、前記中継装置は、前記子局に前記給電する電流をモニタして所定の給電条件よりも減少した場合、その子局が異常であると判断をして前記親局への警報を生成し、前記親局との間で前記無線信号および前記警報とが重畳された光信号に変換して送受信することを特徴とする。
【発明の効果】
【００１０】
本発明によれば、子局を複雑化することなく子局の異常を親局に通知する警報を送信可能な光伝送システム、子局装置および警報発生方法を提供することができる。
【発明を実施するための最良の形態】
【００１１】
以下、図面を参照して本発明の実施例を説明する。
【実施例】
【００１２】
図１は、本発明の実施例に係わる光伝送システムの構成図である。  
図１において、光伝送システムは、移動通信基地局との間で無線信号を送受信する親局１、親局１との間で無線信号を変換した光信号を入出力する中継装置２、中継装置２から給電されると共に中継装置２で電気信号に再変換された無線信号を授受し、アンテナ３０を介して移動通信端末と通信する複数の子局３ａ〜３ｎとを備える。
【００１３】
中継装置２は、光−電気の信号の相互変換を行うと共に、子局３への電源供給を行う子局電源を備え、子局との間は同軸ケーブル又は電源線によって電源を供給する。以下では、同軸ケーブルが電源ケーブルを兼ねる場合を例に光伝送システムの動作を説明する。
【００１４】
図２は、本発明の実施例に係わる中継装置および子局の動作を説明する機能ブロック図である。  
図２において、中継装置２は、親局１との間で光信号を受信、送信するＯ／Ｅ２１、Ｅ／Ｏ２２、受信処理部２４、送信処理部２５、中継装置２が内部の操作処理を制御する監視制御部２６、図示されない給電装置から子局への所要の電源を変換生成して出力する子局給電部２７、その給電電流をモニタするカレントモニタ２８、電源で高周波成分をカットするコイルＬ、またバンドパスフィルタ２３１〜２３４、中継装置２と子局との間で送受信する信号を分岐するデュプレクサｄ、子局３へバンドパスフィルタ２３２を経て出力される無線信号を増幅するアンプ２４１と、子局３から入力される無線信号を増幅するアンプ２３４とを備えている。
【００１５】
バンドパスフィルタ２３１、２３４は、それぞれ監視制御部２６が入出力する監視制御信号を親局と送受信する周波数の信号を通過する。またデュプレクサｄの出力に接続されているコンデンサＣは、給電する電源の直流分をカットするためのものである。
【００１６】
また、図２において、子局給電部２７は、各子局３ａから３ｎに対して個別に備えられる様に記されているが、複数の子局３で共有しても良い。
【００１７】
中継装置２と子局３との間は、同軸ケーブルＣｘにより、無線信号と子局３へ給電される電力が授受される。
【００１８】
子局３は、アンテナ３０から送受信される電波を処理し中継装置３との間で入出力するＲＦ部３１、ＲＦ部３１の動作を監視、制御するモニタ部３２、モニタ部３２によってＲＦ部３１へ供給される電源のオン、オフするスイッチ３３および、中継装置と同様のコイルＬとコンデンサＣとを備えている。
【００１９】
ＲＦ部３１は、デュプレクサｄでアンテナ３０を介して送受信する電波、無線信号が分合波され、送信器（ＴＸ）ｔ、受信器（ＲＸ）ｒが電波の送信、受信処理を行う。
【００２０】
図３は、従来の中継装置および子局の動作の一例を説明する機能ブロック図である。  
図３において、図２に示される構成と重複する部分に付いての説明は省略し、実施例と異なる部分について説明する。まず、子局３Ｘでは、ＲＦ部３１０は、デュプレクサｄをにより送信系と受信系に分離される。
【００２１】
受信系には、受信器（ＲＸ）ｒからの無線信号に、ＲＦ部３１０の動作をレポートするモニタ信号送出部ｇが備えられていれる。無線信号は、バンドパスフィルタｆｒを経てハイブリッドｈの一方の入力に入り、中継装置２Ｘ側のデュプレクサｄの受信信号入力端子へ入力される。
【００２２】
またモニタ信号は、モニタ信号送出部ｇでパイロット信号に所定の変調等が施されモニタ情報となりバンドパスフィルタｆｇを介して受信する無線信号と重畳するようハイブリッドｈの他方の入力端子へ入力され、その出力が上記デュプレクサｄの受信信号入力端子へ入力される。もし、ＲＦ部３１０で異常が有る場合は、モニタ信号は警報となる。
【００２３】
デュプレクサｄの結合端子からの無線信号とモニタ情報とが重畳された高周波信号は、直流分カットのコンデンサＣを経て、同軸ケーブルＣｘに出力される。モニタ制御部３２０は、ＲＦ部３１０からのモニタ信号を監視し、異常があればスイッチ３３０を介してＲＦ部３１０へ制御信号等を出力する。
【００２４】
中継装置２Ｘでは、同軸ケーブルＣｘを介して、高周波情報を子局３Ｘから受信する。そして中継装置のコンデンサＣを介して入力した高周波信号は、更にそのデュプレクサｄと受信アンプ２４２で増幅後、ハイブリッドを経てから再びバンドパスフィルタｆｇとバンドパスフィルタｆｒとへ入力される。
【００２５】
バンドパスフィルタｆｇの出力は、検波部（ＤＥＴ）ｄｔへ入力されて検波後モニタ信号（警報）に復元されて監視制御部２６０に出力される。監視制御部２６０は、このモニタ信号、警報を送信信号処理部２５へ出力する。そして、送信処理部２５は、このモニタ信号、警報をバンドパスフィルタ２３３を介した所定の高周波信号とし、ハイブリッドでバンドパスフィルタ２３４を介した無線信号ｆｒと合波される。
【００２６】
この合波された信号は、Ｅ／０２２で光信号に変換され親局１へ向けて送信される。親局１側では、再度電気信号に変換後、所定の手順で無線信号と、モニタ信号の処理が行われる。
【００２７】
以上、説明した如く従来の例では、子局３のＲＦ部１１でモニタ信号送出部ｇ、バンドパスフィルタｆｇ、ｆｒが必要になり、また、中継装置２でも同様にバンドパスフィルタｆｇ、ｆｒが必要になるほか、ＤＥＴｄｔが必要で回路規模も大きくなり消費電力も増す。
【００２８】
再度図２に戻る。図２において、モニタ制御部３２は、ＲＦ部３１の入力されるモニタ信号から異常の有無を判定し、もし異常で有れば、スイッチ３３を動作させ、ＲＦ部１１への給電をオフにする。従来は、異常を通知するモニタ（警報信号）を子局３ｘで生成して送信していたが、本実施例では、モニタ信号を生成せずにその代わりに給電電力をオフにするだけの処理を行う。その結果、中継装置２のカレントモニタ２８では、子局給電部２７からの出力電流が、例えば、平均電流が２Ａ（アンペア）から１Ａの様に減少する。
【００２９】
カレントモニタ２８は、モニタ電流値を監視制御部２６へ出力しているが、監視制御部２６は、この出力電流の減少、言い換えれば、所定のレベル又はレベル差以上（例えば、消費電流値１．２Ａ、又は、レベル差で０．８Ａとする）で子局３の消費電流が減少することを検出した場合、当該子局（例えば３ａ）が異常と判断して送信処理部２５を介して親局１へ、警報を出力する。この警報は、どの子局（例えば３ａ）が異常かを示す識別情報と共に送信されるものであるが、単に子局３の何れかが異常であることを示すだけの警報にしても良い。
【００３０】
この方法は、従来の子局３Ｘのモニタ信号送出部ｇやバンドパスフィルタｆｇ、ｆｒを用いることなく、電源の消費電流を減少させることにより異常を通知しているので回路規模も増加せず、また正常時の子局３の消費電力も低く抑える事が可能である。
【００３１】
なお、モニタ制御部３２は、ＲＦ部１１の異常を検出した場合、給電される電力（以下電源と称す。）単にオフとするのではなく、例えば、１秒周期でオンーオフを繰り返すとか、オンとオフの時間長を各子局で固有となるようそれぞれ換えて組み合わせることにより、子局給電部２７とカレントモニタ２８とが複数子局で共有されるものであっても故障判別が可能になる。
【００３２】
即ち、子局３の故障や異常が同時に発生しない限り、その電源のオンーオフ時間の組み合わせから異常な子局３を監視制御部２６又は、カレントモニタ２８が各子局に対する組み合わせパターンを記憶して電流のモニタ結果と照合するようにすれば、どの子局が故障なのかを特定することが出来る。そして、このオンーオフ繰り返しも子局３のモニタ制御部３２が単純なタイマ回路で実現出来るので子局３の回路規模や消費電力が大きくならない。
【００３３】
本発明は、上記説明の主旨を逸脱しない範囲で、構成の組み合わせや処理手順を変えたり、組み合わせるものであっても良い。例えば、中継装置と子局が一体化したものであっても良い。もしくは、親局と中継装置が一体化したもので、中継装置と子局との間が光信号で信号伝送が行われ、電源ケーブルが別に設けられている構成であっても良い。
【００３４】
また、上記説明では、信号線と電源線を同軸ケーブルが兼ねるもので有ったが、それぞれ独立なケーブルであっても本発明は、適用可能である。
【図面の簡単な説明】
【００３５】
【図１】本発明の実施例に係わる光伝送システムの構成図。
【図２】本発明の実施例に係わる中継装置および子局の動作を説明する機能ブロック図。
【図３】従来の中継装置および子局の動作の一例を説明する機能ブロック図。
【符号の説明】
【００３６】
１  親局
２  中継装置
２４  受信処理部
２５  送信処理部
２６  監視制御部
２７  子局給電部
２８  カレントモニタ
３  子局
３１  ＲＦ部
３２  モニタ制御部
３３  スイッチ
Ｃｘ  同軸ケーブル
【図１】
2008294848.tif 000003
【図２】
2008294848.tif 000004
【図３】
2008294848.tif 000005